(57)【要約】【課題】固定したままで、または持ちかえることなく、構図を変更することのできる撮像装置および撮像装置の制御方法を提供する。【解決手段】  被写体像を画像データとして出力する撮像素子２２１と、撮像素子２２１の画像データ出力領域の縦横やアスペクト比を指示するためのメインダイヤル２３と、撮像素子の画像データ出力領域に基づく表示範囲４４１の大きさを指示するサブダイヤル２２と、撮像素子２２１の画像データ出力領域に基づく表示範囲４４１の位置を指示する十字釦３２と、を具備し、メインダイヤル２３と、サブダイヤル２２と、十字釦３２の操作に応じて、撮像素子２２１の画像データ出力領域の縦横やアスペクト比と、対角線長と、位置を制御する。【選択図】  図１０
2010141375.tif 000002
【特許請求の範囲】
【請求項１】
被写体像を画像データとして出力する撮像部と、
上記撮像部の画像データ出力領域の縦横及び／又はアスペクト比を指示する第１操作部と、
上記撮像部の画像データ出力領域の大きさを指示する第２操作部と、
上記撮像部の画像データ出力領域の位置を指示する第３操作部と、
上記第１操作部と、上記第２操作部と、上記第３操作部に応じて、上記撮像部の画像データ出力領域の縦横及び／又はアスペクト比と、対角線長と、位置を制御する、撮像領域制御部と、
を有することを特徴とする撮像装置。
【請求項２】
上記第１操作部により上記撮像部の画像データ出力領域の縦横及び／又はアスペクト比を指示する際、上記撮像部の画像データ出力領域の対角線長と、位置を維持することを特徴とする請求項１に記載の撮像装置。
【請求項３】
上記第２操作部により上記撮像部の画像データ出力領域の大きさを指示する際、上記撮像部の画像データ出力領域の縦横及び／又はアスペクト比と、位置を維持することを特徴とする請求項１に記載の撮像装置。
【請求項４】
上記第３操作部により上記撮像部の画像データ出力領域の位置を指示する際、上記撮像部の画像データ出力領域の縦横及び／又はアスペクト比と、対角線長を維持することを特徴とする請求項１に記載の撮像装置。
【請求項５】
上記第１操作部により上記撮像部の画像データ出力領域の縦横及び／又はアスペクト比を指示する際、上記撮像部の画像データ出力領域の一部がイメージサークル外になる場合、イメージサークル外になる部分をなくすように、上記撮像部の画像データ出力領域の対角線長、及び／又は位置を維持することを特徴とする請求項１に記載の撮像装置。
【請求項６】
上記第２操作部により上記撮像部の画像データ出力領域の大きさを指示する際、上記撮像部の画像データ出力領域の一部がイメージサークル外になる場合、イメージサークル外になる部分をなくすように、上記撮像部の画像データ出力領域の縦横及び／又はアスペクト比、及び／又は位置を調節することを特徴とする請求項１に記載の撮像装置。
【請求項７】
上記第３操作部により上記撮像部の画像データ出力領域の位置を指示する際、上記撮像部の画像データ出力領域の一部がイメージサークル外になる場合、イメージサークル外になる部分をなくすように、上記撮像部の画像データ出力領域の縦横及び／又はアスペクト比、及び／又は対角線長を調節することを特徴とする請求項１に記載の撮像装置。
【請求項８】
被写体像を画像データとして出力する撮像部と、
上記撮像部の画像データ出力領域の位置を指示する位置指定操作部と、
上記位置指定操作部によって指示された上記位置に基づいて、上記画像データ出力領域を移動させる撮像領域制御部と、
を有することを特徴とする撮像装置。
【請求項９】
上記撮像領域制御部は、上記画像データ出力領域を移動させる際に、上記画像データ出力領域の縦横及び／又はアスペクト比と、対角線長を維持させながら移動させることを特徴とする請求項８に記載の撮像装置。
【請求項１０】
被写体像を画像データとして出力する撮像部と、
上記撮像部の画像データ出力領域の大きさを指示する大きさ指示操作部と、
上記大きさ指示操作部によって指示された上記大きさに従って、上記画像データ出力領域の対角線長を変更する撮像領域制御部と、
を有することを特徴とする撮像装置。
【請求項１１】
上記撮像領域制御部は、上記画像データ出力の対角線長を変更する際に、上記画像データ出力領域の縦横及び／又はアスペクト比を維持することを特徴とする請求項１０に記載の撮像装置。
【請求項１２】
被写体像を画像データとして出力し、
上記画像データ出力領域の位置に関する指示を入力し、
上記指示された上記画像データ出力領域の位置に基づいて、上記画像データ出力領域を移動させる、
ことを特徴とする撮像装置の制御方法。
【請求項１３】
被写体像を画像データとして出力し、
上記画像データ出力領域の大きさに関する指示を入力し、
上記指示された上記画像データ出力領域の大きさに従って、上記画像データ出力領域の対角線長を変更する、
ことを特徴とする撮像装置の制御方法。
【発明の詳細な説明】
【技術分野】
【０００１】
本発明は、撮像素子を有する撮像装置およびこの撮像装置の制御方法に関する。
【背景技術】
【０００２】
被写体の構図によって、縦位置や横位置に切り換えて撮影した場合がある。このような場合、手持ち撮影であれば、撮影者がカメラ等の撮像装置の向きを簡単に変更することができる。しかし、三脚等に固定した場合には、撮像装置の向きを変更することは煩雑な操作を必要とした。
【０００３】
このような場合、縦横位置を変更可能とした撮像装置であれば、三脚等に固定したままでも縦横等を変更することができる。例えば、特許文献１には、本体の向きを変えることなく撮像画面の縦長撮影と横長撮影を切り換えられるようにした電子カメラが開示されている。この電子カメラは、縦横切り換え手段の選択操作に応じて、ＣＣＤを回転させ、縦長位置と横長位置に切り換えている。
【特許文献１】特開２００２−６４７３８号公報
【０００４】
また、撮影にあたって、被写体の構図によってはアスペクト比等を選択できると便利であることから、アスペクト比可変の撮像装置も提案されている。例えば、特許文献２には、画素数を処理可能な範囲となるようにトリミングしてアスペクト比を設定できるようにした撮像装置が開示されている。
【特許文献２】特開２０００−２７０２９８号公報
【発明の開示】
【発明が解決しようとする課題】
【０００５】
上述の特許文献１や特許文献２に記載の撮像装置においては、三脚等に固定した状態で、または手持ち撮影でも撮像装置を持ち変えることなく、縦横位置やアスペクト比を変更できる。しかしながら、撮像装置を固定した状態で、構図を変更することができない。すなわち、固定した後、構図を変更するには、三脚等での固定を解除してやり直すしかなかった。また、三脚等を用いずに撮影者がカメラ等の撮像装置を構えた場合であっても、構図を変更するにはカメラを持ち変えるしかなかった。カメラを持ちかえると、操作釦のレイアウトが変わってしまい、操作がし難くなるという不具合があった。
【０００６】
本発明は、このような事情を鑑みてなされたものであり、固定したままで、または持ちかえることなく、構図を変更することのできる撮像装置および撮像装置の制御方法を提供することを目的とする。
【課題を解決するための手段】
【０００７】
上記目的を達成するため第１の発明に係わる撮像装置は、被写体像を画像データとして出力する撮像部と、上記撮像部の画像データ出力領域の縦横及び／又はアスペクト比を指示する第１操作部と、上記撮像部の画像データ出力領域の大きさを指示する第２操作部と、上記撮像部の画像データ出力領域の位置を指示する第３操作部と、上記第１操作部と、上記第２操作部と、上記第３操作部に応じて、上記撮像部の画像データ出力領域の縦横及び／又はアスペクト比と、対角線長と、位置を制御する、撮像領域制御部と、を有する。
【０００８】
第２の発明に係わる撮像装置は、上記第１の発明において、上記第１操作部により上記撮像部の画像データ出力領域の縦横及び／又はアスペクト比を指示する際、上記撮像部の画像データ出力領域の対角線長と、位置を維持する。
第３の発明に係わる撮像装置は、上記第１の発明において、上記第２操作部により上記撮像部の画像データ出力領域の大きさを指示する際、上記撮像部の画像データ出力領域の縦横及び／又はアスペクト比と、位置を維持する。
第４の発明に係わる撮像装置は、上記第１の発明において、上記第３操作部により上記撮像部の画像データ出力領域の位置を指示する際、上記撮像部の画像データ出力領域の縦横及び／又はアスペクト比と、対角線長を維持する。
【０００９】
第５の発明に係わる撮像装置は、上記第１の発明において、上記第１操作部により上記撮像部の画像データ出力領域の縦横及び／又はアスペクト比を指示する際、上記撮像部の画像データ出力領域の一部がイメージサークル外になる場合、イメージサークル外になる部分をなくすように、上記撮像部の画像データ出力領域の対角線長、及び／又は位置を維持する。
第６の発明に係わる撮像装置は、上記第１の発明において、上記第２操作部により上記撮像部の画像データ出力領域の大きさを指示する際、上記撮像部の画像データ出力領域の一部がイメージサークル外になる場合、イメージサークル外になる部分をなくすように、上記撮像部の画像データ出力領域の縦横及び／又はアスペクト比、及び／又は位置を調節する。
第７の発明に係わる撮像装置は、上記第１の発明において、上記第３操作部により上記撮像部の画像データ出力領域の位置を指示する際、上記撮像部の画像データ出力領域の一部がイメージサークル外になる場合、イメージサークル外になる部分をなくすように、上記撮像部の画像データ出力領域の縦横及び／又はアスペクト比、及び／又は対角線長を調節する。
【００１０】
第８の発明に係わる撮像装置は、被写体像を画像データとして出力する撮像部と、上記撮像部の画像データ出力領域の位置を指示する位置指定操作部と、上記位置指定操作部によって指示された上記位置に基づいて、上記画像データ出力領域を移動させる撮像領域制御部と、を有する。
第９の発明に係わる撮像装置は、上記第８の発明において、上記撮像領域制御部は、上記画像データ出力領域を移動させる際に、上記画像データ出力領域の縦横及び／又はアスペクト比と、対角線長を維持させながら移動させる。
【００１１】
第１０の発明に係わる撮像装置は、被写体像を画像データとして出力する撮像部と、上記撮像部の画像データ出力領域の大きさを指示する大きさ指示操作部と、上記大きさ指示操作部によって指示された上記大きさに従って、上記画像データ出力領域の対角線長を変更する撮像領域制御部と、を有する。
第１１の発明に係わる撮像装置は、上記第１０の発明において、上記撮像領域制御部は、上記画像データ出力の対角線長を変更する際に、上記画像データ出力領域の縦横及び／又はアスペクト比を維持する。
【００１２】
第１２の発明に係わる撮像装置の制御方法は、被写体像を画像データとして出力し、上記画像データ出力領域の位置に関する指示を入力し、上記指示された上記画像データ出力領域の位置に基づいて、上記画像データ出力領域を移動させる。
第１３の発明に係わる撮像装置の制御方法は、被写体像を画像データとして出力し、上記画像データ出力領域の大きさに関する指示を入力し、上記指示された上記画像データ出力領域の大きさに従って、上記画像データ出力領域の対角線長を変更する。
【発明の効果】
【００１３】
本発明によれば、固定したままで、または持ちかえることなく、構図を変更することのできる撮像装置および撮像装置の制御方法を提供することができる。
【発明を実施するための最良の形態】
【００１４】
以下、図面に従って本発明を適用したデジタルカメラを用いて好ましい一実施形態について説明する。図１は、本発明の一実施形態に係わるデジタル一眼レフレックスカメラの正面から見た外観図であり、図２は、このデジタル一眼レフレックスカメラの背面側から見た外観斜視図である。
【００１５】
図１に示すカメラ本体２００の前面の略中央には、交換レンズ１００を装着するためのボディマウント２４が設けてある。このボディマウント２４より少し奥まった位置には、交換レンズ１００と接続し、通信を行うための通信接点３４１が配置されている。また、ボディマウント２４よりカメラ本体２００の内部側はミラーボックスであり、ミラーボックス内には、可動ミラー２０１等が配置されている。
【００１６】
また、カメラ本体２００の正面左側のグリップ部の上部には、レリーズ釦２１が配置されている。レリーズ釦２１は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピント合わせ、被写体輝度の測光等の撮影動作を行い、第２レリーズスイッチ（以下、２Ｒと称する）のオンにより撮像素子２２１（図３参照）の出力に基づいて被写体像の画像データの取り込みを行う露光動作を実行する。
【００１７】
また、カメラ本体２００の正面左側グリップ部には、サブダイヤル２２が配置されている。このサブダイヤル２２は、時計方向および反時計方向に回転自在であり、その回転方向と回転量が検知され出力される。なお、サブダイヤル２２を操作することにより、表示画像の拡大・縮小を行うことができる。
【００１８】
カメラ本体２００の上部には、被写体に補助光を照射するための内蔵フラッシュ５０が収納されている。内蔵フラッシュ５０をポップアップ状態とすると、使用状態となり、その発光部は被写体に向けた位置となる。
【００１９】
カメラ本体２００の上面には、コントロールパネル４０が配置されている。このコントロールパネル４０は、液晶等の表示装置であって、撮影にあたっての絞り値やシャッタ速度値等の撮影情報が表示される。
【００２０】
図２に示すように、カメラ本体２００の背面の右上には、メインダイヤル２３が配置されている。メインダイヤル２３も、サブダイヤルダイアル２２と同様、時計方向および反時計方向に回転自在であり、その回転方向と回転量が検知され出力される。なお、メインダイヤル２３を操作することにより、アスペクト比の異なる縦長画像や横長画像をサイクリックに切り換えることができる。
【００２１】
後ダイアル２３の下側には、ライブビュー表示釦（以下、ＬＶ表示釦と称す）３１が配置されている。ライブビュー表示は、撮像素子によって取得した画像データに基づいて被写体像観察用に液晶モニタ等の表示装置に被写体像を表示することをいう。このＬＶ表示釦３１を操作することにより、ライブビュー表示モードを設定し、また再度操作するとライブビュー表示モードの解除を行う。
【００２２】
ＬＶ表示釦３１の下側には、十字釦３２が配置されている。この十字釦３２は上側十字釦、下側十字釦、右側十字釦、左側十字釦の４つの釦からなり、背面液晶モニタ３９上にカーソルが表示されている場合に、このカーソルの移動等に用いる。４つの十字釦３２のほぼ中心にＯＫ釦３３が配置されている。このＯＫ釦３３は、十字釦３２によって選択された項目の決定を行うための操作部材である。
【００２３】
十字釦３２の下側には、パワースイッチ３４が配置されている。このパワースイッチ３４は、このカメラのカメラ動作の実行を制御するための操作部材である。すなわち、本実施形態に係わるカメラは、パワースイッチ３４がオン状態の場合に、種々の動作を実行し、オフの場合にはカメラ動作を実行しない。
【００２４】
カメラ本体２００の背面の略中央の上部には、接眼部３８が設けられており、この中に接眼レンズ２０９が配置されている。カメラ本体２００は一眼レフレックスカメラであり、内部には、可動ミラー２０１やペンタプリズム２０７等のファインダ光学系（図３参照）が配置され、このファインダ光学系を通過した被写体光束が、この接眼レンズ２０９より出射する。撮影者は接眼レンズ２０９を介して、光学的に被写体像を観察することができる。
【００２５】
接眼部３８の下側には、背面液晶モニタ（以下、背面ＬＣＤと称す）３９が配置されている。背面ＬＣＤ３９は、ライブビュー表示を行い、また、記録済みの被写体像を再生表示し、撮影情報やメニューを表示するための表示装置である。これらの表示を行うことができるものであれば、液晶に限らない。また、本実施形態においては、カメラ本体２００の背面に配置しているが、撮影者が観察できる位置であれば、背面に限られない。
【００２６】
背面ＬＣＤ３９の下側であって、パワースイッチ３４の左側には、メニュー釦３５が配置されている。このメニュー釦３５はメニューモードに設定し、また解除するための操作部材である。メニューモードは、このカメラの種々のモードやその他の設定を行うモードであり、メニューモードに設定されると、背面ＬＣＤ３９にメニュー表示がなされる。撮影者は、このメニュー表示の中から好みのモード等を十字釦３２によって選択し、ＯＫ釦３３によって確定する。
【００２７】
メニュー釦３５の左側には、再生釦３６が配置されている。この再生釦３６は、記録媒体等に記録された画像データを読み出し、この画像データに基づいて被写体像を背面ＬＣＤ３９に再生表示する再生モードを指示する操作部材である。
【００２８】
次に、本実施形態に係わるデジタル一眼レフカメラの電気回路について、図３に示すブロック図を用いて説明する。このデジタル一眼レフカメラは、交換レンズ１００とカメラ本体２００とから構成される。本実施形態では、交換レンズ１００とカメラ本体２００は別体で構成され、通信接点３４１にて電気的に接続されているが、交換レンズ１００とカメラ本体２００を一体に構成することも可能である。
【００２９】
交換レンズ１００の内部には、焦点調節および焦点距離調節用の撮影光学系１０１と、開口量を調節するための絞り１０３が配置されている。撮影光学系１０１は光学系駆動機構１０７によって駆動され、絞り１０３は絞り駆動機構１０９によって駆動される。光学系駆動機構１０７によって駆動された撮影光学系１０１の焦点位置（ピント位置）は、ピント位置検出機構１０５によって、また光学系１０１の焦点距離は、ズーム位置検出機構１０６によって、それぞれ検出される。
【００３０】
光学系駆動機構１０７、絞り駆動機構１０９、ピント位置検出機構１０５、およびズーム位置検出機構１０６は、それぞれレンズＣＰＵ１１１に接続されており、このレンズＣＰＵ１１１は通信接点３４１を介してカメラ本体２００に接続されている。
【００３１】
また、レンズＣＰＵ１１１には、レンズＲＯＭ１１３とレンズＲＡＭ１１５が接続されている。レンズＲＯＭ１１３は、電気的に書き換え可能な不揮発性メモリであり、レンズＣＰＵ１１１を実行させるためのプログラムや、交換レンズ１００の固有情報等が記憶されている。レンズＲＡＭ１１５は、電気的に書き換え可能な揮発性メモリであり、上述のプログラムの実行に当たって使用される一時的な記憶領域である。
【００３２】
レンズＣＰＵ１１１は交換レンズ１００内の制御を行うものであり、光学系駆動機構１０７を制御してピント合わせや、ズーム駆動を行うとともに、絞り駆動機構１０９を制御して絞り値制御を行う。また、レンズＣＰＵ１１１は、ピント位置検出機構１０５やズーム位置検出機構１０６によって検出された焦点距離や焦点位置情報をカメラ本体２００に送信する。
【００３３】
カメラ本体２００内には、被写体像を観察光学系に反射するためにレンズ光軸に対して４５度傾いた位置（下降位置、被写体像観察位置）と、被写体像を撮像素子２２１に導くために跳ね上がった位置（上昇位置、退避位置）との間で、回動可能な可動ミラー２０１が設けられている。
【００３４】
この可動ミラー２０１の上方には、被写体像を結像するためのフォーカシングスクリーン２０４が配置され、このフォーカシングスクリーン２０４の上方には、全面液晶板（以下、全面ＬＣＤと称す）２０５が配置されている。この全面ＬＣＤ２０５は、部分的に透過と遮光を制御可能であり、フォーカシングスクリーン２０４上に結像した被写体像の内の任意に部分について、被写体像をファインダ光学系に導くことができる。
【００３５】
全面ＬＣＤ２０５の上方には、被写体像を左右反転させるためのペンタプリズム２０７が配置されている。ペンタプリズム２０７の前面側の反射面に沿って、ファインダ内表示装置２０６が配置されている。このファインダ内表示装置２０６は、液晶表示装置等から構成され、後述するように、光学ファインダ像に対して、視野表示や撮影情報等を重畳させて表示する。このファインダ内表示装置２０６は、ファインダ内表示駆動回路２９５に接続されており、これによって駆動制御される。
【００３６】
ペンタプリズム２０７の出射側(図３で右側)には被写体像観察用の接眼レンズ２０９が配置され、この脇であって被写体像の観察に邪魔にならない位置に測光センサ２１１が配置されている。この測光センサ２１１は、測光処理回路２１２に接続され、測光センサ２１１の出力は、この測光処理回路２１２によって増幅処理やアナログ−デジタル変換等の処理がなされる。
【００３７】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには（図３において破線位置）、ハーフミラー部を覆う位置に回動し、可動ミラー２０１が被写体像観察位置（下降位置）にあるときには、図示する如く可動ミラー２０１に対して開いた位置にある。
【００３８】
この可動ミラー２０１はミラー駆動機構２３９によって駆動されている。また、サブミラー２０３の下方には位相差ＡＦセンサ２４１が配置されており、この位相差ＡＦセンサ２４１の出力は位相差ＡＦ処理回路２４３に接続されている。位相差ＡＦセンサ２４１は、撮影光学系１０１によって結像される被写体像の焦点ズレ量（デフォーカス量）を測定するために、撮影光学系１０１の周辺光束を２光束に分離する公知の位相差ＡＦ光学系と１対のセンサとから構成されている。また、位相差ＡＦセンサ２４１は、撮影画面内の複数ポイントについて、それぞれ焦点検出可能である。
【００３９】
可動ミラー２０１の後方には、露光時間制御用のフォーカルプレーンタイプのシャッタ２１３が配置されており、このシャッタ２１３はシャッタ駆動機構２３７によって駆動制御される。シャッタ２１３の後方には撮像素子２２１が配置されており、撮影光学系１０１によって結像される被写体像を電気信号に光電変換する。なお、撮像素子２２１としてはＣＣＤ（Charge Coupled Devices）またはＣＭＯＳ（Complementary Metal Oxide Semiconductor）等の二次元固体撮像素子を使用できることは言うまでもない。
【００４０】
撮像素子２２１は撮像素子駆動回路２２３に接続され、この撮像素子駆動回路２２３によって、撮像素子２２１から画像信号の読出し等が行われる。撮像素子駆動回路２２３は、前処理回路２２５に接続されており、前処理回路２２５は、ライブビュー表示のための画素間引き処理、拡大表示のための切り出し処理等の画像処理のための前処理を行なう。
【００４１】
前述のシャッタ２１３と撮像素子２２１の間には、防塵フィルタ２１５、赤外カットフィルタ・ローパスフィルタ２１７が配置されている。防塵フィルタ２１５の周囲には圧電素子が固定されており、この圧電素子は防塵フィルタ駆動回路２３５によって、超音波で振動する。防塵フィルタ２１５の付着した塵埃は、圧電素子に発生する振動波によって、除塵される。
【００４２】
赤外カットフィルタ・ローパスフィルタ２１７は、被写体光束から赤外光成分と、高周波成分を除去するための光学フィルタである。防塵フィルタ２１５、赤外カットフィルタ・ローパスフィルタ２１７および撮像素子２２１は、塵埃等が侵入しないように気密に一体に構成されている。これら一体化された撮像素子２２１等は、シフト機構２３３によって、撮像素子２２１の撮像面におけるＸ軸方向とＹ軸方向に沿って、それぞれ移動させることができる。
【００４３】
手ブレセンサ２２９は、カメラ本体２００に加えられた手ブレ等による振動を検出する角加速度センサ等であり、この出力は手ブレ補正回路２３０に接続している。手ブレ補正回路２３０は手ブレ等の振動を除去するための手ブレ補正信号を生成し、手ブレ補正回路２３０の出力は、シフト機構駆動回路２３１に接続されている。
【００４４】
シフト機構駆動回路２３１は、手ブレ補正信号を入力し、この信号に基づいて、シフト機構２３３を駆動する。このシフト機構２３３によって、カメラ本体２００に加えられた手ブレ等の振動を打ち消すように、撮像素子２２１等を移動させ、防振を行なう。
【００４５】
傾きセンサ２２７は、３軸回りの角加速度を検出し、カメラ本体２００の傾きに応じた値を出力する。傾き検知回路２２８は、傾きセンサ２２７に接続されており、傾きセンサ２２７の定常状態の値から傾き状態を、また傾きセンサ２２７の変化量から加速度を求め、これらの値を出力する。
【００４６】
光源センサ２４４は、蛍光灯や太陽光など、被写体の環境光の光源を検出するためのセンサである。光源処理回路２４５は、光源センサ２４４に接続され、光源に応じた光源データを出力する。照度センサ２４６は、カメラ２００上での照度を測定するためのセンサである。照度処理回路２４７は、照度センサ２４６に接続され、照度に応じた照度データを出力する。
【００４７】
リモコン受信センサ２４８は、リモコン装置（不図示）からの赤外線等によるリモコン指令を受信するための赤外線センサである。リモコン受信処理回路２４９は、リモコン受信センサ２４８に接続され、このセンサからの信号を入力し、リモコン信号を出力する。
【００４８】
前述の前処理回路２２５は、ＡＳＩＣ（Application Specific
Integrated Circuit 特定用途向け集積回路）２５０内のデータバス２５２に接続されており、このデータバス２５２を介して、ＡＳＩＣ２５０内の各回路に接続されている。また、前処理回路２２５は、コントラストＡＦ回路２５３およびＡＥ回路２５５にも接続されている。
【００４９】
コントラストＡＦ回路２５３は、前処理回路２２５から出力される画像信号に基づいて高周波成分を抽出し、この高周波成分に基づくコントラスト情報をボディＣＰＵ２５１に出力する。なお、コントラストＡＦ回路２５３は、高周波成分を抽出するにあたって、画面内の全領域について、抽出可能である。ＡＥ回路２５５は、前処理回路２２５から出力される画像信号に基づいて、被写体輝度に応じた測光情報をボディＣＰＵ２５１に出力する。
【００５０】
データバス２５２、コントラストＡＦ回路２５３、およびＡＥ回路２５５に接続されているボディＣＰＵ２５１は、フラッシュメモリ２７７に記憶されているプログラムに従って、デジタル一眼レフカメラの動作を制御するものである。
【００５１】
データバス２５２には、ボディＣＰＵ２５１以外に、画像処理回路２５７、圧縮伸張回路２５９、ビデオ信号出力回路２６１、スイッチ検知回路２６８、入出力回路２７１、通信回路２７３、フラッシュメモリ制御回路２７５、ＳＤＲＡＭ制御回路２７９、記録媒体制御回路２８３、ダイアル検知回路２８９が接続されている。
【００５２】
画像処理回路２５７は、デジタル画像データのデジタル的増幅（デジタルゲイン調整処理）、色補正、ガンマ（γ）補正、コントラスト補正、ライブビュー表示用画像生成等の各種の画像処理を行なう。また圧縮伸張回路２５９はＳＤＲＡＭ２８１に一時記憶された画像データをＪＰＥＧやＴＩＦＦ等の圧縮方式により圧縮し、また表示等のために伸張するための回路である。なお、画像圧縮はＪＰＥＧやＴＩＦＦに限らず、他の圧縮方式も適用できる。
【００５３】
ビデオ信号出力回路２６１は、ＬＣＤ駆動回路２６３を介して背面ＬＣＤ３９に接続され、また接点３３０ａを介して外部表示装置３３０に接続可能である。このビデオ信号出力回路２６１は、ＳＤＲＡＭ２８１、記録媒体Ａ２８５、記録媒体Ｂ２８７に記憶された画像データを、背面ＬＣＤ３９等に表示するためのビデオ信号に変換するための回路である。背面ＬＣＤ３９は、図２に示すように、カメラ本体２００の背面に配置されるが、撮影者が観察できる位置であれば、背面に限らないし、また液晶に限らず他の表示装置でも構わない。
【００５４】
シャッタレリーズ釦２１の第1ストローク（半押し）を検出する１Ｒスイッチや、第２ストローク（全押し）を検出する２Ｒスイッチ、ライブビュー表示釦３１の操作によってオンするライブビュー表示スイッチを含む各種スイッチ２６９は、スイッチ検知回路２６８を介してデータバス２５２に接続されている。また、各種スイッチ２６９としては、この他にも、メニュー釦３５に連動するメニュースイッチ、再生釦３６に連動する再生スイッチ、十字釦３２の各釦にそれぞれ連動する十字スイッチ、パワースイッチ３４等、その他の操作部材に連動する各種スイッチ等を含んでいる。
【００５５】
上述の防塵フィルタ駆動回路２３５、シャッタ駆動機構２３７、位相差ＡＦ処理回路２４３、ミラー駆動機構２３９、光源処理回路２４５、照度処理回路２４７、リモコン受信処理回路２４９、傾き検知回路２２８、シフト機構駆動回路２３１、測光処理回路２１２と接続される入出力回路２７１は、データバス２５２を介してボディＣＰＵ２５１等の各回路とデータの入出力を制御する。なお、入出力回路２７１は、後述するＬＣＤ向き検知回路２６５、充電回路３０１、フラッシュ発光回路３０３にも接続される。
【００５６】
レンズＣＰＵ１１１と通信接点３４１を介して接続された通信回路２７３は、データバス２５２に接続され、ボディＣＰＵ２５１等とのデータのやりとりや制御命令の通信を行う。
【００５７】
フラッシュメモリ制御回路２７５は、フラッシュメモリ（Flash Memory）２７７に接続され、このフラッシュメモリ２７７は、デジタル一眼レフカメラの動作を制御するためのプログラムが記憶されており、前述したように、ボディＣＰＵ２５１はこのフラッシュメモリ２７７に記憶されたプログラムに従ってデジタル一眼レフカメラの制御を行う。なお、フラッシュメモリ２７７は、電気的に書き換え可能な不揮発性メモリである。
【００５８】
ＳＤＲＡＭ２８１は、ＳＤＲＡＭ制御回路２７９を介してデータバス２５２に接続されており、このＳＤＲＡＭ２８１は、画像処理回路２５７によって画像処理された画像データまたは圧縮伸張回路２５９によって圧縮された画像データを一時的に記憶するためのバッファメモリである。
【００５９】
データバス２５２に接続された記録媒体制御回路２８３は、記録媒体Ａ２８５、記録媒体Ｂ２８７に接続され、これらの記録媒体Ａ２８５、Ｂ２８７への画像データ等の記録及び画像データ等の読み出しの制御を行う。
【００６０】
記録媒体Ａ２８５および記録媒体Ｂ２８７は、ｘＤピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。なお、記録媒体Ａ２８５、Ｂ２８７は、同じ種類の記録媒体であって、記憶容量が異なる組み合わせや、また異なる種類の記録媒体の組み合わせ等、組み合わせ方は自由である。
【００６１】
ダイヤル検知回路２８９は、前述のサブダイヤル２２とメインダイヤル２３にそれぞれ接続しており、それぞれのダイヤルの回転方向および回転量を検知する。
【００６２】
カメラ本体２００内には、本体内の各回路や各機構等に電源を供給するための電源供給回路２９１が設けられている。この電源供給回路２９１には、内蔵のバッテリ２９２および外部電源２９３が接続可能である。
【００６３】
ＬＣＤ向き検知回路２６５は、背面ＬＣＤ３９の向きを検知する。すなわち、背面ＬＣＤ３９は、その向きを縦位置や横位置に変更することができ、この向きを検知し、入出力回路２７１を介してボディＣＰＵ２５１に伝達される。
【００６４】
前述のコントロールパネル４０には、コントロールパネル駆動回路２９７が接続されており、コントロールパネル駆動回路２９７はボディＣＰＵ２５１に接続されている。ボディＣＰＵ２５１は、コントロールパネル駆動回路２９７を介して、コントロールパネル４０に撮影情報等の表示を行う。
【００６５】
カメラ本体２００内に配置された内蔵フラッシュ５０は、充電回路３０１、フラッシュ発光回路３０３、発光管３０５等から構成される。充電回路３０１はバッテリ２９２または外部電源２９３等より、電源供給を受け、電圧を昇圧し、これを充電する。フラッシュ発光回路３０３は、所定のタイミングで、充電回路３０１によって昇圧された電圧を発光管３０５に印加する等、発光制御を行う。
【００６６】
外部フラッシュ３１０は、外付けのフラッシュ装置であり、接点３１０ａ、３１０ｂを介して、カメラ本体２００と接続する。この外部フラッシュ３１０内には、フラッシュＣＰＵ３１１、充電回路３１３、フラッシュ発光回路３１５、発光管３１７、反射傘３１８、ズーム駆動回路３１９が配置されている。
【００６７】
フラッシュＣＰＵ３１１は、外部フラッシュ３１０の制御を行い、また、接点３１０ｂ、通信回路２７３を介してボディＣＰＵ２５１と通信を行う。充電回路３１３は、外部フラッシュ３１０内に装填された電源電池の電圧を昇圧し、これを充電する。フラッシュ発光回路３１５は、ボディＣＰＵ２５１と接点３１０ａを介して受信した発光命令に応じて発光する。ズーム駆動回路３１９は、撮影光学系１０１の焦点距離に応じて、発光管３１７と反射笠３１８の間隔を駆動制御し、撮影光学系１０１の焦点距離等に応じた照射角となるように制御する。
【００６８】
外部機器３２０は、パーソナルコンピュータ（ＰＣ）等の機器であり、接点３２０ａ、通信回路２７３を介して、ボディＣＰＵ２５１と通信を行う。外部表示機器３３０は、テレビ等の表示機器であり、接点３３０ａを通じて、前述のビデオ信号出力回路２６１に接続されている。外部表示機器３３０の内部には、表示装置駆動回路３３１と表示装置３３３が配置されている。ビデオ信号出力回路２６１からのビデオ信号に基づき、表示装置駆動回路３３１は表示装置３３３に記録画像等の表示を行う。
【００６９】
次に、本実施形態における縦横とアスペクト比について、図４を用いて説明する。撮像素子２２１の撮像面はほぼ正方形をしており、撮像素子２２１内であって、かつイメージサークル１２０内において、画像が得られる。このときの縦横の比率をアスペクト比という。本実施形態においては、４：３横長、４：３縦長、１６：９横長、１６：９縦長の４つのアスペクト比を採用している。もちろん、これとは異なるアスペクト比を採用しても構わない。ここで説明したアスペクト比は、後述する図７（ａ）における設定変更のサブルーチンによって、変更できる。設定されたアスペクト比に基づいて、有効となる画像データ（画像データ出力領域）は、撮像素子駆動回路２２３から出力される画像データの中から、前処理回路２２５や画像処理回路２５７によって、選択される。
【００７０】
次に、本実施形態における動作について、図５ないし図９に示すフローチャートを用いて説明する。
【００７１】
図５は、カメラ本体２００側のボディＣＰＵ２５１によるパワーオンリセットの動作である。カメラ本体２００にバッテリ２９２が装填され、または外部電源２９３が接続されると、このフローがスタートする。まずカメラ本体２００のパワースイッチ３４がオンであるかを判定する（＃１）。判定の結果、パワースイッチ３４がオフの場合には、低消費電力の状態であるスリープ状態となる（＃３）。
【００７２】
このスリープ状態ではパワースイッチ３４がオンとなった場合のみに割り込み処理を行い、ステップ＃５以下においてパワーオンのための処理を行う。パワースイッチ３４がオンとなるまでは、パワースイッチ割り込み処理以外の動作を停止し、電源電池の消耗を防止する。
【００７３】
ステップ＃１において、パワースイッチ３４がオンであった場合、またはステップ＃３におけるスリープ状態を脱した場合には、電源供給を開始する（＃５）。次に、防塵フィルタ２１５における塵埃除去動作を行う（＃７）。このステップでは、防塵フィルタ２１５に固着された圧電素子に防塵フィルタ駆動回路２３５から駆動電圧を印加し、超音波振動波によって塵埃等を除去する。
【００７４】
次に、撮影モードや、ＩＳＯ感度、マニュアル設定されたシャッタ速度や絞り値等の情報があればそれらの撮影モードや撮影条件の読み込みを行う（＃９）。なお、このときに、併せて、レンズＣＰＵ１１１から通信回路２７３を介して交換レンズ１００の開放絞り、焦点距離情報等のレンズ情報の読み込みも行う。
【００７５】
撮影モード等の読み込みを行うと、次に、ライブビューを行っているか否かの判定を行う（＃１１）。本実施形態に係わるデジタル一眼レフカメラのライブビュー表示は、ＬＶ表示釦３１が一度操作されると、ライブビュー表示モードに設定され、再度操作されると、ライブビュー表示モードが解除される。
【００７６】
ステップ＃１１における判定の結果、ライブビュー表示モードでなかった場合には、すなわち、光学ファインダ表示モードの場合には、ファインダ測光（Ｆ測光）および露出量演算を行う（＃１３）。ライブビュー表示モードでない場合には、可動ミラー２０１は下降状態にあり、撮影光学系１０１を通過した被写体光束をペンタプリズム２０７等のファインダ光学系に反射している。このため、測光素子２１１に被写体光束が入射し、測光を行うことができる。
【００７７】
ファインダ測光によって測光を行うと、このとき得た被写体輝度に基づいて適正露光を得るための絞り値やシャッタ速度等の露出量の演算を行う。なお、露出量の演算にあたっては、ステップ＃９において設定されていた撮影モードや撮影条件に従って行う。
【００７８】
露出量の演算を行うと、次に、ファインダ表示を行う（＃１５）。ファインダ表示は、ファインダ内表示装置２０６によって行い、設定されている縦横とアスペクト比に応じた撮影範囲や、また演算または手動設定された絞り値やシャッタ速度等の撮影条件が表示される。また、演算された露出量に基づく絞り値やシャッタ速度値、またはこれらの手動設定値は、コントロールパネル４０にも表示される。
【００７９】
続いて、ライブビュー表示の消灯を行う（＃１７）。ライブビュー表示モードから光学ファインダ表示モードに切り替わった際には、ここで、ライブビュー表示の消灯を行う。なお、ライブビュー表示モードが解除され光学ファインダ表示を繰り返し行っている場合には、ライブビュー表示は消灯されているので、このステップをスキップする。
【００８０】
ステップ１１における判定の結果、ライブビュー表示モードに設定されている場合には、可動ミラー２０１の退避を行い（＃３１）、シャッタ２１３を開放する（＃３３）。ライブビュー表示モードでは、撮像素子２２１からの画像データに基づいて、被写体像を背面ＬＣＤ３９に表示するので、撮像素子２２１上に被写体像が形成されるように、可動ミラー２０１を退避し、シャッタ２１３を開放する。なお、ライブビュー表示開始後は、このステップ＃３１、＃３３をスキップする。
【００８１】
続いて、イメージャー測光（Ｉ測光）および露出量の演算を行う（＃３５）。ライブビュー表示モードに入ると、可動ミラー２０１は撮影光学系１０１の光路から退避し、測光素子２１１には、被写体光束が入射しない。そこで、撮像素子２２１からの画像データに基づいて、ＡＥ回路２５５によって被写体輝度の測定を行う。
【００８２】
ここで測定された被写体輝度に基づいて、適正露光を得るための絞り値やシャッタ速度等の露出量の演算を行う。なお、露出量の演算にあたっては、ステップ＃１３と同様、ステップ＃９において設定されていた撮影モードや撮影条件に従って行う。また、ここで演算された露出量に基づく絞り値やシャッタ速度値、またはこれらの手動設定値は、背面ＬＣＤ３９やコントロールパネル４０に表示される。
【００８３】
続いて、ライブビュー表示を行う（＃３７）。ライブビュー表示は、撮像素子２２１からの画像データに基づき、前処理回路２２５や画像処理回路２５７によって、画素数を間引く等の画像処理を行い、被写体像を背面ＬＣＤ３９に動画表示する。撮像素子２２１から画像データの読み出しを行うたびに、被写体像の更新を行う。
【００８４】
ライブビュー表示を行うと、次に、ファインダ表示の消灯を行う（＃３９）。光学ファインダ表示モードからライブビュー表示モードに切り替わった際には、ここで、ファインダ表示の消灯を行う。なお、ライブビュー表示モードに切り替わり、ライブビュー表示を繰り返し行っている場合には、ファインダ表示は消灯されているので、このステップはスキップする。
【００８５】
ステップ＃１７におけるライブビュー表示を消灯すると、またはステップ＃３９におけるファインダ表示を消灯すると、操作部材による操作がなされたか否かの判定を行う（＃１９）。このステップでは、スイッチ検知回路２６８によって、１Ｒスイッチ、メインダイヤル、サブダイヤル、十字キー（十字スイッチ）、パワースイッチのいずれかのスイッチが操作されたか否かを判定する。
【００８６】
ステップ＃１９における判定の結果、操作がなかった場合には、ステップ＃１１に戻り、前述の動作を実行する。一方、判定の結果、操作がなされていた場合には、次に、レリーズ釦２１が半押しされたか否か、すなわち１Ｒスイッチがオンか否かの判定を行う（＃２１）。
【００８７】
ステップ＃２１における判定の結果、１Ｒスイッチがオンであった場合には、撮影準備と撮影を行う撮影動作のサブルーチンを実行する（＃４１）。このサブルーチンの詳細は図６を用いて後述する。
【００８８】
ステップ＃２１における判定の結果、１Ｒスイッチがオンでなかった場合、または、ステップ＃４１における撮影動作を実行した場合には、次に、メインダイヤル２３が操作されたか否かの判定を行う。
【００８９】
ステップ＃２３における判定の結果、メインダイヤル２３が操作された場合には、設定変更を行う（＃４３）。この設定変更のサブルーチンでは、メインダイヤル２３が操作されるたびに、アスペクト比の異なる縦長画像や横長画像が、サイクリックに変更する。このサブルーチンの詳細については、図７を用いて後述する。
【００９０】
ステップ＃２３における判定の結果、メインダイヤル２３が操作されていなかった場合、または、ステップ＃４３における設定変更のサブルーチンを実行すると、次に、サブダイヤル２２が操作されたか否かの判定を行う（＃２５）。この判定の結果、サブダイヤル２２が操作された場合には、表示の拡大・縮小を実行する（＃４７）。表示の拡大・縮小では、撮像素子２２１上における画像データ出力領域を拡大・縮小することによって、表示領域の拡大・縮小を行っている。この表示の拡大・縮小のサブルーチンの詳細については、図８を用いて後述する。
【００９１】
ステップ＃２５における判定の結果、サブダイヤルが操作されていなかった場合、または、ステップ＃４７における表示の拡大・縮小のサブルーチンを実行すると、次に、十字キー（十字スイッチ）が操作されたか否かの判定を行う（＃２６）。このステップでは、十字釦３２を構成する右側十字釦、左側十字釦、上側十字釦、下側十字釦のいずれかが、操作されたか否かを判定する。
【００９２】
ステップ＃２６における判定の結果、十字キー操作がなされていた場合には、表示位置の移動を行う（＃４９）。ここでは、操作された十字釦３２の位置に応じて、撮像素子２２１上における画像データ出力領域を移動させることによって、表示画像の位置を移動させる。この表示位置の移動のサブルーチンの詳細については、図９を用いて後述する。
【００９３】
ステップ＃２６における判定の結果、十字キー操作がなされていなかった場合、または、ステップ＃４９における表示位置の移動のサブルーチンを実行すると、次に、パワースイッチ３４がオンか否かの判定を行う（＃２７）。この判定の結果、パワースイッチ３４がオンであった場合には、ステップ＃１１に戻り、前述の動作を実行する。
【００９４】
一方、ステップ＃２７における判定の結果、パワースイッチがオンではなかった場合には、電源供給を停止し（＃２９）、ステップ＃３に戻り、前述のスリープ状態となる。
【００９５】
次に、ステップ＃４１における撮影動作のサブルーチンについて、図６に示すフローチャートを用いて説明する。
【００９６】
撮影動作のサブルーチンに入ると、まず、ステップ＃１１と同様にライブビュー表示モードか否かの判定を行う（＃５１）。この判定の結果、ライブビュー表示モードでなかった場合には、位相差ＡＦのサブルーチンを実行する（＃５３）。この位相差ＡＦのサブルーチンでは、撮影光学系１０１の周辺を通過した２光束を用いて公知の位相差法に基づいて、撮影光学系１０１の焦点ズレ方向および焦点ズレ量を検出する。そして、この検出された焦点ズレ方向および焦点ズレ量を用いて、撮影光学系１０１を合焦位置に駆動する。
【００９７】
位相差ＡＦが終わると、次に、ステップ＃１３と同様にファインダ測光および露出量演算を行う（＃５５）。ここで演算された露出量に基づく絞り値やシャッタ速度値、またはこれらの手動設定値は、ファインダ内表示装置２０６やコントロールパネル４０に表示される。
【００９８】
ステップ＃５１における判定の結果、ライブビュー表示モードであった場合には、イメージャーＡＦのサブルーチンを実行する（＃５７）。ライブビュー表示モードでは、可動ミラー２０１が撮影光学系１０１の光路から退避位置にあり、位相差ＡＦによる測距を行うことができない。そこで、撮像素子２２１からの画像データに基づいて、イメージャーＡＦを行う。このイメージャーＡＦのサブルーチンでは、コントラストＡＦ回路２５３から出力される画像データの高周波成分がピーク値となるように、撮影光学系１０１の駆動制御を行う。
【００９９】
イメージャーＡＦを行うと、次に、ステップ＃３５と同様にイメージャー測光および露出量演算を行う（＃５９）。ここで演算された露出量に基づく絞り値やシャッタ速度値、またはこれらの手動設定値は、背面ＬＣＤ３９やコントロールパネル４０に表示される。
【０１００】
ステップ＃５５におけるファインダ測光および露出量演算、またはステップ＃５９におけるイメージャー測光を行うと、次に、レリーズ釦２１が全押しされたか否か、すなわち２Ｒスイッチがオンか否かを判定する（＃６１）。この判定の結果、２Ｒスイッチがオンでなかった場合には、１Ｒスイッチがオンか否かの判定を行う（＃６３）。
【０１０１】
このステップ＃６３における判定の結果、１Ｒスイッチがオンでなければ、レリーズ釦２１から撮影者の指が離れたことから、撮影動作のサブルーチンを終了し、元のフローに戻る。一方、ステップ＃６３における判定の結果、１Ｒスイッチがオンであった場合には、少なくとも撮影者の指がレリーズ釦２１にかかっていることから、ステップ＃６１に戻り、このステップとステップ＃６３を交互に判定する待機状態となる。
【０１０２】
ステップ＃６１における判定の結果、２Ｒスイッチがオンとなると、レリーズ釦２１が全押しされ、露光動作に移る。まず、ステップ＃１１、＃５１と同様に、ライブビュー表示モードか否かの判定を行う（＃６５）。この判定の結果、ライブビュー表示モードでなかった場合には、可動ミラー２０１の退避を行う（＃６７）。ライブビュー表示モードでない場合、すなわち光学ファインダ表示モードの場合には、可動ミラー２０１が下降位置にあるので、撮像素子２２１に被写体光束に導くために、可動ミラー２０１を退避させる。
【０１０３】
一方、ステップ＃６５における判定の結果、ライブビュー表示モードであった場合には、シャッタ２１３の閉じ動作を行う（＃９１）。ライブビュー表示モードの場合には、可動ミラー２０１は退避位置にあり、シャッタ２１３は開放のままである。露光動作を実行するにあたって、シャッタ２１３をチャージする必要があることから、一旦、シャッタ２１３の閉じ動作を行う。
【０１０４】
ステップ＃６７の可動ミラー退避、またはステップ＃９１のシャッタ閉を行うと、次に、絞り１０３の絞り込み動作を行う（＃６９）。このステップでは、露出量演算に基づいて求められた絞り値または手動設定された絞り値となるように、レンズＣＰＵ１１１に対して、絞り込み指示を行う。
【０１０５】
続いて、露出動作を行う（＃７１）。このステップでは、シャッタ２１３の先幕を走行させると共に、撮像素子２２１において電荷蓄積を開始する。そして、所定時間が経過すると、シャッタ２１３の後幕を走行させると共に、撮像素子２２１における電荷蓄積を終了する。
【０１０６】
露出動作が終了すると、次に、絞り１０３の開放を行う（＃７３）。すなわち、ボディＣＰＵ２５１は、レンズＣＰＵ１１１に対して、絞り１０３が開放絞り値となるように指示を送信する。
【０１０７】
絞りを開放にすると、次に、ステップ＃１１、＃５１、＃６５と同様に、ライブビュー表示モードか否かの判定を行う（＃７５）。この判定の結果、ライブビュー表示モードでなかった場合には、可動ミラー２０１の復帰を行う（＃７７）。すなわち、ステップ＃６７において可動ミラー２０１は撮影光学系１０１の光路から退避していたので、光路中に挿入するように下降させる。
【０１０８】
一方、ステップ＃７５における判定の結果、ライブビュー表示モードであった場合には、シャッタ２１３の開放を行う（＃９３）。すなわち、ライブビュー表示を再開するために、撮影光学系１０１からの被写体光束を撮像素子２２１に導くべく、シャッタ２１３の先幕を走行させ、シャッタを開放する。
【０１０９】
ステップ＃７７における可動ミラー復帰、またはステップ＃９３におけるシャッタ開を行うと、次に、画像の読み出しを行う（＃７９）。このステップでは、撮像素子駆動回路２２３によって、撮像素子２２１から画像信号の読み出しを行う。
【０１１０】
続いて、画像処理を行う（＃８１）。すなわち、撮像素子２２１から読み出された画像信号を前処理回路２２５、画像処理回路２５７や圧縮伸張回路２５９等によって種々の画像処理を行う。なお、設定変更（＃４３）、表示の拡大・縮小（＃４７）、および票位置の移動（＃４９）において、表示用に設定された画像データ出力領域の画像データが、前処理回路２２５、画像処理回路２５７等によって選択され、画像処理される。
【０１１１】
画像データ出力領域の画像データについて画像処理を行うと、次に、画像記録を行う（＃８３）。画像記録は、画像処理された画像データ出力領域の画像データを、記録媒体制御回路２８３によって、記録媒体Ａ２８５または記録媒体Ｂ２８７に記録する。この画像記録が終わると、元のフローに戻る。
【０１１２】
次に、ステップ＃４３における設定変更のサブルーチンについて、図７（ａ）に示すフローチャートを用いて説明する。
【０１１３】
図７（ａ）に示す設定変更のフローに入ると、まず、変更操作がなされたか否かの判定を行う（＃１０１）。このステップでは、メインダイヤル２３の回転操作がなされたか否かの判定を行う。この判定の結果、変更操作があった場合には、縦横アスペクト設定変更が行われる（＃１０３）。すなわち、メインダイヤル２３が操作されるたびに、図７（ｂ）に示すように、アスペクト比が、４：３、３：２、１６：９と順次、変更される。なお、メインダイヤル２３の回転方向を逆転させると、これとは逆の順番で変更される。このように、縦横アスペクト設定変更においては、メインダイヤル２３の回転方向に応じて、図７（ｂ）に示すように、横長画像または縦長画像でアスペクト比が異なる画像データ出力領域が、サイクリックに変更される。
【０１１４】
ステップ＃１０３における縦横アスペクト設定変更が終了すると、またはステップ＃１０１における判定の結果、変更操作がなされていなかった場合には、元のフローに戻る。ステップ＃３７におけるライブビュー表示は、ここで設定された縦横とアスペクト比に基づいて行われる。
【０１１５】
このように、本実施形態においては、メインダイヤル２３を操作することによりアスペクト比や縦横位置を変更することができる。縦横位置やアスペクト比を変更すると、この設定に応じて、前処理回路２２５や画像処理回路２５７は、撮像素子２２１から読み出された画像データの有効範囲を変更する。このため、撮影者の意図に沿った構図の画面で撮影することができる。
【０１１６】
なお、本実施形態においては、変更操作はメインダイヤル２３の回転操作によって行っていた。しかし、これに限らず、縦横位置変更とアスペクト比設定に別々の操作釦を設け、これによって行ってもよく、逆に、操作釦を設けずに両操作共、メニュー画面で設定するようにしても勿論かまわない。また、操作部材によってアスペクト比や縦横を変更する以外にも、例えば、傾きセンサ２２７の検知出力に基づき、カメラ本体２００を振る動作に応じて、変更するようにしても良い。
【０１１７】
次に、ステップ＃４７における表示の拡大・縮小のサブルーチンについて、図８（ａ）に示すフローチャートを用いて説明する。このサブルーチンでは、画像データ出力領域を狭くし、この狭くした画像データ出力領域の画像データを、背面ＬＣＤ３９の画面一杯に表示することにより、拡大表示を行う。このフローに入ると、まず、サブダイヤル２２の回転方向を判定する（＃５０１）。
【０１１８】
この判定の結果、サブダイヤル２２の回転方向が左回転であった場合には、現在の拡大率が１倍か否かの判定を行う（＃５０３）。本実施形態においては、拡大率のデフォルト値は１であり、サブダイヤル２２が操作されるたびに、回転方向に応じて、拡大率の増減が行われ、この拡大率が一時記憶される。このステップでは、一時記憶されている拡大率に基づいて判定する。なお、拡大率のデフォルト値は最小値である１としたが、最大値である２０としても良いし、その中間の値でも良い。
【０１１９】
ステップ＃５０３における判定の結果、拡大率が1倍でなかった場合には、一時記憶されている拡大率に応じて、表示範囲を広げる（＃５０５）。図１０に示す表示範囲４４１は、撮像素子２２１からの画像データ出力領域に基づいて決まり、この表示範囲４４１は、拡大率が１倍〜２０倍の間で変化可能である。なお、拡大率に応じて拡大・縮小表示を行う場合には、拡大率に応じて、対角線長を変化させる。また、拡大率は、本実施形態においては、１〜２０倍としたが、これに限らず、適宜、変更しても良い。
【０１２０】
ステップ＃５０１における判定の結果、サブダイヤル２２の回転方向が右回転であった場合には、現在の拡大率が２０倍か否かの判定を行う（＃５１１）。これは、ステップ＃５０３と同様、一時記憶されている拡大率に基づいて判定する。この判定の結果、拡大率が２０倍でなかった場合には、表示範囲４４１を狭める（＃５１３）。
【０１２１】
ステップ＃５０７において表示範囲を広げると、またはステップ＃５１３において表示範囲を狭めると、次に、撮像を行う（＃５０７）。このステップでは、ステップ＃５０７または＃５１３において設定された表示範囲４４１に基づいて、撮像素子２２１からの画像データ出力領域を決め、撮像素子２２１の撮像を行う。撮像を行うと、次に、表示を行う（＃５０９）。すなわち、画像データ出力領域からの画像データに基づいて、背面ＬＣＤ３９に被写体像のライブビュー表示を行う。
【０１２２】
また、背面ＬＣＤ３９には、図８（ｂ）に示すように、拡大倍率を表示する。したがって、サブダイヤル２２を右回転するに応じて、1倍、３倍、５倍と、図８（ｂ）の右側に進み、一方、サブダイヤル２２を左回転するに応じて、２０倍、１０倍、７倍と、図８（ｂ）の左側に進む。ステップ＃５０９において表示を行うと、またはステップ＃５０３、＃５１１における判定の結果がＹｅｓであった場合には、元のフローに戻る。
【０１２３】
このように、表示の拡大・縮小のサブルーチンにおいては、サブダイヤル２２の回転方向に応じて、アスペクト比を変更することなく、表示範囲４４１の大きさを変更することができる。
【０１２４】
次に、ステップ＃４９における表示位置の移動のサブルーチンについて、図９に示すフローチャートを用いて説明する。このフローに入ると、まず、表示倍率が１倍か否かの判定を行う（＃５２１）。
【０１２５】
ステップ＃５２１における判定の結果、表示倍率が１倍でなかった場合には、次に上の十字キー、すなわち上側十字釦が操作されたか否かを判定する（＃５２３）。この判定の結果、上側十字釦が操作された場合には、次に、Ｙ座標は上限か否かの判定を行う（＃５２５）。図１０に示すように、本実施形態においては、撮像素子２２１上の撮像領域４５１の画素の位置座標は、（０、０）から（２０００、１５００）に割り当てられている。そこで、このステップでは、現在読み出されている画像データ出力データの対応画素のＹ座標が上限（この例では、１５００）に達しているか否かの判定を行う。
【０１２６】
ステップ＃５２５における判定の結果、Ｙ座標の上限に達していなかった場合には、Ｙ座標を増加させる（＃５２７）。すなわち、図１０において、表示範囲４４１の位置を上側に移動させる。なお、実際には撮影光学系１０１によって、画像は上下左右反転しているので、撮像素子２２１面上では、下側に移動させる。ここでは、理解を容易にするために、撮影者の感覚にあわせて表示している。
【０１２７】
ステップ＃５２７においてＹ座標を増加させると、またはステップ＃５２５における判定の結果、Ｙ座標が上限に達していた場合、またはステップ＃５２５における判定の結果、上側十字釦が操作されていなかった場合には、次に、下の十字キー、すなわち下側十字釦が操作されたか否かの判定を行う（＃５２９）。
【０１２８】
この判定の結果、下側十字釦が操作された場合には、次に、Ｙ座標は０か否かの判定を行う（＃５３１）。このステップでは、現在読み出されている画像データ出力データの対応画素のＹ座標が０に達しているか否かの判定を行う。この判定の結果、Ｙ座標の０に達していなかった場合には、Ｙ座標を減少させる（＃５２７）。すなわち、図１０において、表示範囲４４１の位置を下側に移動させる。
【０１２９】
ステップ＃５３３においてＹ座標を減少させると、またはステップ＃５３１における判定の結果、Ｙ座標が０に達していた場合、またはステップ＃５２９における判定の結果、下側十字釦が操作されていなかった場合には、次に、右の十字キー、すなわち右側十字釦が操作されたか否かの判定を行う（＃５３５）。
【０１３０】
この判定の結果、右側十字釦が操作された場合には、次に、Ｘ座標は上限か否かの判定を行う（＃５３７）。このステップでは、現在読み出されている画像データ出力データの対応画素のＸ座標が上限（この例では、２０００）に達しているか否かの判定を行う。この判定の結果、Ｘ座標の上限に達していなかった場合には、Ｘ座標を増加させる（＃５３９）。すなわち、図１０において、表示範囲４４１の位置を右側に移動させる。
【０１３１】
ステップ＃５３９においてＸ座標を増加させると、またはステップ＃５３７における判定の結果、Ｘ座標が上限に達していた場合、またはステップ＃５３５における判定の結果、右側十字釦が操作されていなかった場合には、次に、左の十字キー、すなわち左側十字釦が操作されたか否かの判定を行う（＃５４１）。
【０１３２】
この判定の結果、左側十字釦が操作された場合には、次に、Ｘ座標は０か否かの判定を行う（＃５４３）。このステップでは、現在読み出されている画像データ出力データの対応画素のＸ座標が０に達しているか否かの判定を行う。この判定の結果、Ｘ座標が０に達していなかった場合には、Ｘ座標を減少させる（＃５４５）。すなわち、図１０において、表示範囲４４１の位置を左に移動させる。
【０１３３】
ステップ＃５４５においてＸ座標を減少させると、またはステップ＃５４３における判定の結果、Ｘ座標が０に達していた場合、またはステップ＃５４１における判定の結果、左側十字釦が操作されていなかった場合、またはステップ＃５２１における判定の結果、表示倍率が１倍であった場合には、元のフローに戻る。
【０１３４】
このように、表示位置の移動のサブルーチンにおいては、十字釦３２の上下左右のいずれかの釦を操作することにより、表示範囲４４１を上下左右の範囲内で移動させることができる。また、撮影時には、この設定された表示範囲４４１に応じた画像データ出力領域の画像データが記録される。
【０１３５】
なお、本実施形態においては、表示範囲４４１が撮像素子２２１の画素内やイメージサークル１２０内に含まれていた場合であっても、縦横位置およびアスペクト比、表示の拡大・縮小、または表示位置の移動を行うと、表示範囲４４１が撮像素子２２１の範囲やイメージサークル１２０内からはみ出してしまうことがある。このような場合には、一部の画像が欠損したり、または画質が低下することから、表示範囲４４１や撮影領域がイメージサークル１２０内及び／又は撮像素子２２１の範囲内になるように、画像データ出力領域を調節している。
【０１３６】
図１１は、表示範囲４４１が移動したり、拡大した場合、またはアスペクト比や縦横位置が変化した場合の表示範囲の調節を説明する図である。図１１（ａ）において撮像範囲４５１は、イメージサークル１２０内にある撮像素子２２１の撮像領域を示している。今、図１１（ａ）に示すように、撮像領域４５１の左隅に表示範囲４４１が設定されているとする。この状態で、表示範囲４４１を拡大した表示範囲４４２は、撮像範囲４５１の領域をはみ出している。この場合には、図１１（ｂ）に示すように、表示範囲４４２を右上に移動させ（Ｘ座標、Ｙ座標とも増加させ）、撮像範囲４５１の領域内に表示範囲４４３を設定するようにしている。
【０１３７】
ここでは、表示範囲４４１を拡大した場合について説明したが、拡大することなく、表示範囲４４１を自由に移動させると、撮像範囲４５１をはみ出してしまう。しかし、前述した図９のフローにおいは、Ｘ座標やＹ座標が０または上限値を超えると、その場合は表示範囲４４１の移動を禁止している。このため、表示範囲４４１を撮像範囲４５１内にすることができる。
【０１３８】
また、図１１（ａ）の状態において、メインダイヤル２３を操作することにより、アスペクト比を変化させ、より横長の画像とすると、図１１（ｃ）に示すように、表示範囲４１１の一部は撮像範囲４５１の外にはみ出してしまう。そこで、この場合には、表示範囲４１１のＹ座標を増加させ、表示範囲を上側に移動させ、新たに表示範囲４４４を設定する。
【０１３９】
また、図１１（ａ）の状態において、メインダイヤル２３を操作することにより、横長画像から縦長画像に変化させると、図１１（ｄ）に示すように、表示範囲４１１の一部が撮像範囲４５１の外にはみ出してしまう。そこで、この場合には、表示範囲４１１のＸ座標を増加させ、表示範囲を右側に移動させ、新たに表示範囲４４５を設定する。
【０１４０】
上述の図１１（ａ）〜（ｄ）の説明では、表示範囲４４１を例にあげたが、この表示範囲４４１に応じて決まる撮影領域も、イメージサークル１２０や撮像素子２２１内となるように調整される。このように、本実施形態においては、画像データ出力領域の縦横及び／又はアスペクト比を変更した結果、または画像データ出力領域の大きさや位置を変化させた結果、画像データ出力領域がイメージサークル１２０及び／又は撮像素子２２１の外になる場合には、画像データ出力領域をイメージサークル１２０及び／又は撮像素子２２１内に入るように調節している。このため、画像の一部が欠損したり、画質が劣化することがない。
【０１４１】
以上説明したように、本発明の実施形態においては、操作部材（十字釦３２）の操作に応じて、画像データ出力領域の位置を移動させることができる。このため、カメラ等の撮像装置を動かすことなく、表示領域や撮影領域を移動させることができ、便利である。また、本発明の実施形態においては、操作部材（サブダイヤル２２）の操作に応じて画像データ出力領域の大きさを変化させることができる。このため、カメラ等の撮像装置を動かすことなく、表示領域や撮影領域の大きさを変化させることができ、便利である。さらに、表示領域や撮影領域を移動させたり、大きさを変化させた場合であっても、縦横位置やアスペクト比は維持するようにしているので、構図自体は変化することがなく、大変使いやすい撮像装置となっている。
【０１４２】
また、従来の撮像装置においては、アスペクト比によって画角が異なり、対角線長が異なるといった問題があった。すなわち、画角が変化してしまうという問題があった。しかし、本発明の実施形態によれば、撮像素子２２１のイメージサークル１２０の対角線はいつも一定であり、画角が変化することがない。
【０１４３】
なお、本発明の実施形態においては、表示領域４４１の位置や大きさを変更するようにしていた。しかし、両方、変更できなくても良く、いずれか一方のみ調整可能でも良い。
【０１４４】
なお、本発明の実施形態においては、光学ファインダとライブビュー表示の両方の表示部を有していたが、光学ファインダを省略しても良い。
【０１４５】
さらに、本発明の実施形態においては、縦横位置やアスペクト比によって決まる画像データ出力領域の画像データは、前処理回路２２５や画像処理回路２５７によって、撮像素子駆動回路２２３から出力される画像データの中から選択していた。しかし、これに限らず、例えば、撮像素子２２１から読み出す際に、縦横位置やアスペクト比によって決まる範囲についてのみ、画像データを読み出すようにしても良い。
【０１４６】
さらに、本実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）等に内蔵されるカメラでも構わない。
【０１４７】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【０１４８】
【図１】本発明の一実施形態に係わるデジタルカメラの正面側からみた外観斜視図である。
【図２】本発明の一実施形態に係るデジタルカメラの背面側から見た外観斜視図である。
【図３】本発明の一実施形態に係わるデジタルカメラにおいて電気回路を示すブロック図である。
【図４】本発明の一実施形態に係わるデジタルカメラにおいて撮像素子のイメージサークルと縦横位置およびアスペクト比を示す図である。
【図５】本発明の一実施形態におけるデジタルカメラにおいて、パワーオンリセットの動作を示すフローチャートである。
【図６】本発明の一実施形態におけるデジタルカメラにおいて、撮影動作を示すフローチャートである。
【図７】本発明の一実施形態におけるデジタルカメラにおいて、設定変更の動作を説明する図であり、（ａ）は設定変更のフローチャートであり、（ｂ）は縦横位置およびアスペクト比の関係を示す図である。
【図８】本発明の一実施形態におけるデジタルカメラにおいて、表示の拡大・縮小の動作を説明する図であり、（ａ）は表示の拡大・縮小のフローチャートであり、（ｂ）は拡大率を表示した様子を示す図である。
【図９】本発明の一実施形態におけるデジタルカメラにおいて、表示位置の移動の動作を示すフローチャートである。
【図１０】本発明の一実施形態におけるデジタルカメラにおいて、表示範囲の移動を説明する図である。
【図１１】本発明の一実施形態におけるデジタルカメラにおいて、表示範囲が撮像領域からはみ出す場合の調整について説明する図であり、（ａ）は移動前の表示範囲を示し、（ｂ）は表示範囲を拡大した場合に撮像領域からはみ出す場合であり、（ｃ）はアスペクト比を変更した場合に表示範囲が撮像領域からはみ出す場合であり、（ｄ）は縦位置に変更した場合に表示範囲が撮像領域からはみ出す場合を示す図である。
【符号の説明】
【０１４９】
２１・・・レリーズ釦、２２・・・サブダイヤル、２３・・・メインダイヤル、２４・・・ボディマウント、３１・・・ＬＶ表示釦、３２・・・十字釦、３３・・・ＯＫ釦、３４・・・パワースイッチ、３５・・・メニュー釦、３６・・・再生釦、３８・・・接眼部、３９・・・背面ＬＣＤ、４０・・・コントロールパネル、５０・・・内蔵フラッシュ、１００・・・交換レンズ、１０１・・・撮影光学系、１０３・・・絞り、１０５・・・ピント位置検出機構、１０６・・・ズーム位置検出機構、１０７・・・光学系駆動機構、１０９・・・絞り駆動機構、１１１・・・レンズＣＰＵ、１１３・・・レンズＲＯＭ、１１５・・・レンズＲＡＭ、１２０・・・イメージサークル、２００・・・カメラ本体、２０１・・・可動ミラー、２０３・・・サブミラー、２０４・・・スクリーン、２０５・・・全面ＬＣＤ、２０６・・・ファインダ内表示装置、２０６ａ・・・情報表示液晶、２０６ｂ・・・情報表示液晶、２０７・・・ペンタプリズム、２０９・・・接眼レンズ、２１１・・・測光素子、２１２・・・測光処理回路、２１３・・・シャッタ、２１５・・・防塵フィルタ、２１７・・・ローパスフィルタ、２２１・・・撮像素子、２２３・・・撮像素子駆動回路、２２５・・・前処理回路、２２７・・・傾きセンサ、２２８・・・傾き検知回路、２２９・・・手ブレセンサ、２３０・・・手ブレ補正回路、２３１・・・シフト機構駆動回路、２３３・・・シフト機構、２３５・・・防塵フィルタ駆動回路、２３７・・・シャッタ駆動機構、２３９・・・ミラー駆動機構、２４１・・・位相差ＡＦセンサ、２４３・・・位相差ＡＦ処理回路、２４４・・・光源センサ、２４５・・・光源処理回路、２４６・・・照度センサ、２４７・・・照度処理回路、２４８・・・リモコン受信センサ、２４９・・・リモコン受信処理回路、２５０・・・ＡＳＩＣ、２５１・・・ボディＣＰＵ、２５２・・・バス、２５３・・・コントラストＡＦ回路、２５５・・・ＡＥ回路、２５７・・・画像処理回路、２５９・・・圧縮伸張回路、２６１・・・ビデオ信号出力回路、２６３・・・ＬＣＤ駆動回路、２６５・・・ＬＣＤ向き検知回路、２６８・・・スイッチ検知回路、２６９・・・各種スイッチ、２７１・・・入出力回路、２７３・・・通信回路、２７５・・・フラッシュメモリ制御回路、２７７・・・フラッシュメモリ、２７９・・・ＳＤＲＡＭ制御回路、２８１・・・ＳＤＲＡＭ、２８３・・・記録媒体制御回路、２８５・・・記録媒体Ａ、２８７・・・記録媒体Ｂ、２８９・・・ダイアル検知回路、２９１・・・電源供給回路、２９２・・・バッテリ、２９３・・・外部電源、２９５・・・ファインダ内表示駆動回路、２９７・・・コントロールパネル駆動回路、３０１・・・充電回路、３０３・・・フラッシュ発光回路、３０５・・・発光管、３１０・・・外部フラッシュ、３１０ａ・・・接点、３１０ｂ・・・接点、３１１・・・フラッシュＣＰＵ、３１３・・・充電回路、３１５・・・フラッシュ発光回路、３１７・・・発光管、３１８・・・反射笠、３１９・・・ズーム駆動回路、３２０・・・外部機器（ＰＣ）、３２０ａ・・・接点、３２１・・・機器ＣＰＵ、３３０・・・外部表示装置（ＴＶ）、３３０ａ・・・接点、３３１・・・表示装置駆動回路、３３３・・・表示装置、３４１・・・通信接点、４４１〜４４５・・・表示範囲、４５１・・・撮像範囲
【図１】
2010141375.tif 000003
【図２】
2010141375.tif 000004
【図３】
2010141375.tif 000005
【図４】
2010141375.tif 000006
【図５】
2010141375.tif 000007
【図６】
2010141375.tif 000008
【図７】
2010141375.tif 000009
【図８】
2010141375.tif 000010
【図９】
2010141375.tif 000011
【図１０】
2010141375.tif 000012
【図１１】
2010141375.tif 000013